(57)【要約】【課題】制御回路基板２０と外部回路との接続について、品質の安定性及び接続信頼性の向上を図る。【解決手段】バスバー１４等の導体と制御回路基板２０とを接続するにあたり、制御回路基板２０の縁に側方に開放された形状の切欠部２０ａを形成してこれに導体層２４を被着しておき、この導体層２４と前記バスバー１４とが重なった状態で両者にまたがるようにはんだ付け２６を施すようにする。【選択図】      図１５
2004253759.tif 000002
【特許請求の範囲】
【請求項１】
外部回路と接続される接続部を有する制御回路基板において、前記接続部として、前記制御回路基板の縁に側方に開放された形状の切欠部が形成されかつこの切欠部の内側面を覆う導体層が制御回路基板に被着されて当該導体層が前記制御回路基板に組み込まれた回路に接続されたものが含まれていることを特徴とする制御回路基板。
【請求項２】
電力回路を構成する複数本のバスバーが略同一平面上に並んだ状態で請求項１記載の制御回路基板の表面に接着されるとともに、前記制御回路基板の導体層の被着箇所が前記バスバーのうちの特定のバスバーに重ねられた状態で当該導体層の内周面と前記特定のバスバーとの表面とにまたがってはんだ付けが施されることにより当該特定のバスバーと前記制御回路基板に組み込まれた回路とが電気的に接続されていることを特徴とする回路構成体。
【請求項３】
請求項２記載の回路構成体において、前記バスバーにより構成される電力回路中にスイッチング素子が設けられ、前記制御回路基板に前記スイッチング素子の駆動を制御する制御回路が組み込まれており、前記バスバーと前記制御回路基板とにまたがって前記スイッチング素子が実装されていることを特徴とする回路構成体。
【請求項４】
請求項２または３記載の回路構成体において、複数のバスバーが前記制御回路基板から側方に突出することにより外部回路と接続される端子を構成しており、当該端子を構成するバスバーのうちの少なくとも一部のバスバーがはんだ付けによって前記導体層に電気的に接続されていることを特徴とする回路構成体。
【請求項５】
請求項４記載の回路構成体において、前記端子を構成するバスバーが互いに同じ向きであって前記制御回路基板に対して略直交する向きに折り曲げられていることを特徴とする回路構成体。
【請求項６】
請求項４または５記載の回路構成体において、前記端子には、外部から指令信号が入力される信号入力端子が含まれており、この信号入力端子を構成するバスバーが前記導体層に電気的に接続されていることを特徴とする回路構成体。
【請求項７】
請求項１記載の制御回路基板とその外部回路を構成する導体とを電気的に接続する方法であって、前記導体と前記制御回路基板における導体層の被着箇所とを重ねた状態で当該導体層の内周面と前記導体の表面とにまたがってはんだ付けを施すことを特徴とする制御回路基板とその外部回路との接続方法。
【発明の詳細な説明】
【０００１】
【発明の属する技術分野】
本発明は、制御回路が組み込まれた制御回路基板をバスバー等で構成された外部回路に接続するための技術に関するものである。
【０００２】
【従来の技術】
従来、共通の車載電源から各電子ユニットに電力を分配する手段として、複数枚のバスバー基板を積層することにより配電用回路を構成し、これにヒューズやリレースイッチを組み込んだ電気接続箱が一般に知られている。
【０００３】
例えば、下記特許文献１には、電流回路を形成するバスバー基板と、その電流回路中に組み込まれるスイッチング素子としてのＦＥＴと、このＦＥＴの作動を制御する制御回路基板とを備えるとともに、前記バスバー基板と制御回路基板とを互いに離間させながら上下２段に配置してその間にＦＥＴを設け、このＦＥＴのドレイン端子及びソース端子を前記バスバー基板に接続する一方、当該ＦＥＴのゲート端子を前記制御回路基板に接続するようにした電気接続箱が開示されている。
【０００４】
【特許文献１】
特開平１０−３５３７５号公報
【０００５】
【発明が解決しようとする課題】
前記公報に示される電気接続箱では、バスバー基板と制御回路基板の少なくとも２枚の基板が必要であり、しかも、これらの基板を相互離間させて立体的に配置し、両基板の間にＦＥＴ等の素子を配置するだけのスペースを確保しなければならない。従って、全体構成が複雑で十分な小型化はできず、特に高さ寸法の削減が大きな課題となっている。
【０００６】
このような不都合を解消する手段として、例えば前記制御回路基板と電力回路を構成するバスバー等とを直接重ね合せて両者を適当な部位で電気的に接続することが有効であり、当該電気的な接続の手段としては、例えば制御回路基板にスルーホールを設け、このスルーホール内にはんだを供給して当該制御回路基板とバスバーとを接続することが考えられる。しかしながら、このような接続構造では、前記スルーホール内でのはんだ付けが良好に行われているか否かを外部から目視で確認することが難しく、その分、品質管理の面で不利となる要素がある。
【０００７】
【課題を解決するための手段】
本発明は、前記課題を解決するための手段として、外部回路と接続される接続部を有する制御回路基板において、前記接続部として、前記制御回路基板の縁に側方に開放された形状の切欠部が形成されかつこの切欠部の内側面を覆う導体層が制御回路基板に被着されて当該導体層が前記制御回路基板に組み込まれた回路に接続されたものが含まれているものである。
【０００８】
この構成によれば、前記導体層の被着箇所を外部回路の導体部分（例えばバスバー）に重ねた状態で当該導体層の内周面と前記導体の表面とにまたがってはんだ付けを施すことにより、当該導体部分と前記制御回路基板の制御回路との電気的接続を行うことができる。この接続方法によれば、例えば制御回路基板にスルーホールを設けてその中にはんだを供給する構造に比べ、接続箇所でのはんだ付けの良否を外部から目視で確認し易く、よって高い接続信頼性を確保することができる。
【０００９】
また本発明は、前記制御回路基板を用いた回路構成体であって、電力回路を構成する複数本のバスバーが略同一平面上に並んだ状態で前記制御回路基板の表面に接着されるとともに、前記制御回路基板の導体層の被着箇所が前記バスバーのうちの特定のバスバーに重ねられた状態で当該導体層の内周面と前記特定のバスバーとの表面とにまたがってはんだ付けが施されることにより当該特定のバスバーと前記制御回路基板に組み込まれた回路とが電気的に接続されているものである。
【００１０】
この構成では、電力回路を構成する複数本のバスバーが略同一平面上に並んだ状態で制御回路基板の表面に接着されているので、回路構成体全体の高さ寸法（厚み寸法）が非常に小さく、また、従来の電気接続箱において必要とされていたバスバー基板（バスバーを絶縁基板で保持したもの）が基本的に不要となる。従って、従来のようにバスバー基板と制御回路基板とが離間して配置されている電気接続箱に比べ、全体構成は大幅に薄型化及び簡素化される。
【００１１】
さらに、前記バスバーにより構成される電力回路中にスイッチング素子が設けられ、前記制御回路基板に前記スイッチング素子の駆動を制御する制御回路が組み込まれており、前記バスバーと前記制御回路基板との双方に前記スイッチング素子が実装されている構成とすれば、回路構成体全体の高さ寸法（厚み寸法）がより小さくなり、全体構成の薄型化及び簡素化がさらに進められる。
【００１２】
前記回路構成体において、前記制御回路基板の導体層が接続される「特定のバスバー」は任意選定が可能である。例えば、複数のバスバーが前記制御回路基板から側方に突出することにより外部回路と接続される端子を構成するようにすれば、当該バスバーにより形成される電力回路と外部回路との接続が容易になるが、このような端子を構成するバスバーのうちの少なくとも一部のバスバーがはんだ付けによって前記導体層に電気的に接続されている構成とすることが可能である。
【００１３】
より具体的に、前記導体層がはんだ付けで接続される端子としては、例えば、外部から指令信号が入力される信号入力端子を含ませることが可能であり、その場合、当該信号入力端子を構成するバスバーを前記制御回路基板に設けられている制御回路に電気的に接続するだけの簡単な構成で、当該制御回路基板に対して所定の指令信号を入力することが可能になる。
【００１４】
【発明の実施の形態】
本発明の好ましい実施の形態を図面に基づいて説明する。なお、ここでは、本発明にかかる制御回路基板の使用例として、車両等に搭載される共通の電源から供給される電力を複数の電気的負荷に分配する配電回路を構成する回路構成体の製造方法を示すが、本発明にかかる制御回路基板の用途はこれに限らず、当該制御回路基板とその外部回路とを電気的に接続する場合について広く本発明の適用が可能である。
【００１５】
１）バスバー形成工程
まず、前記回路構成体を製造するにあたり、図１に示すようなバスバー構成板１０を形成する。
【００１６】
図示のバスバー構成板１０は、矩形状の外枠１６を有し、その内側領域に、入力端子を構成する複数枚の入力端子用バスバー１１と、出力端子を構成する複数枚の出力端子用バスバー１２と、複数本の信号入力端子用バスバー１４とを含む多数のバスバーが所定のパターンで配列されるとともに、適当なバスバーが小幅のつなぎ部分１８によって前記外枠１６とつながり、また特定のバスバー同士が小幅のつなぎ部分１８によって相互連結された状態となっている。
【００１７】
図例では、入力端子用バスバー１１の端部１１ａ及び信号入力端子用バスバー１４の外側端部１４ａが全てバスバー構成板１０の左側に並び、出力端子用バスバー１２の端部１２ａが全てバスバー構成板１０の右側に並ぶように配置されているが、前記各バスバー端部１１ａ，１２ａ，１４ａは外枠１６とつながっていない自由端部となっている。
【００１８】
このバスバー構成板１０は、例えば単一の金属板をプレス加工で打ち抜くことにより簡単に形成することが可能である。
【００１９】
前記外枠１６は必ずしも含めなくても良い。ただし、この外枠１６を含めることにより、バスバー構成板１０全体の剛性が高まり、その分制御回路基板２０との接着作業が容易になるとともに、外枠１６を把持することによって、バスバー本体を傷めることなくその取扱いを簡単に行うことができる。しかも、接着後は当該外枠をバスバー構成部分から切り離すことにより適当な電力回路を簡単に構築できる。
【００２０】
２）接着工程
前記バスバー構成板１０の片面（図１では上面）に制御回路基板２０を接着して図２の状態とする。
【００２１】
この制御回路基板２０は、後述のＦＥＴ（スイッチング素子）３０のスイッチング動作を制御する制御回路を含むもので、例えば通常のプリント回路基板（絶縁基板に制御回路を構成する導体がプリント配線されたもの）によって構成することが可能である。図例では、全体の薄型化及び防水性向上をさらに促進すべく、非常に厚みの小さい（例えば０．３ｍｍ）シート状の制御回路基板２０が用いられ、かつ、この制御回路基板２０の適所には複数の貫通孔２２が設けられている。この貫通孔２２は、前記ＦＥＴ３０をバスバー上に実装するためのものであり、その詳細は後述する。
【００２２】
本発明において、制御回路基板２０の具体的な大きさや形状は特に問わないが、図示の例では、制御回路基板２０の外形をバスバー構成板１０の外形よりも小さくし、特に基板左右幅がバスバー構成板１０よりも十分小さくなるようにしている。具体的には、この制御回路基板２０を図示のようにバスバー構成板１０の中央部分に接着することにより、このバスバー構成板２０から左外側に入力端子用バスバー１１の端部１１ａ及び信号入力端子用バスバー１４の端部１４ａが突出し、右外側に出力端子用バスバー１２の端部１２ａが突出するとともに、全てのつなぎ部分１８が制御回路基板２０の外側に露出するようにする（図２）。
【００２３】
この制御回路基板２０をバスバー構成板１０に接着するには、種々の手法を用いることが可能である。その例を以下に示す。
【００２４】
▲１▼  制御回路基板２０の表裏両面に導体パターンを設け、そのうちの裏面側（図１では上側）パターンまたはバスバー構成板１０に接着剤を塗布して当該裏面側パターンをバスバー上面に接着する。この場合、当該制御回路基板２０の裏面側にはこれに接着されるバスバーと同電位となるパターンのみを配索しておく。
【００２５】
▲２▼  制御回路基板２０の裏面またはバスバー構成板の上面に絶縁性接着剤を塗布し、この接着剤によって制御回路基板２０と各バスバーとの間に絶縁層を形成する。なお、制御回路基板２０がスルーホールや本発明にかかる「切欠部」を含む場合には、これらの部位に前記絶縁性接着剤が付着しないようにする（詳細後述）。
【００２６】
▲３▼  制御回路基板２０の裏面縁部にのみ接着剤を塗布してバスバー上面に接着する。この場合、接着領域は当該縁部のみとなり、その内側の領域では制御回路基板２０とバスバーとが互いにフリーとなるため、その分応力が緩和される。
【００２７】
以上の▲１▼，▲２▼，▲３▼のいずれにおいても、接着剤は印刷で塗布することが可能であり、これによって製造工程の効率化、自動化を促進することができる。
【００２８】
３）実装工程
前記制御回路基板２０に設けられている貫通孔２２を利用して、当該制御回路基板２０とバスバー構成板１０の双方にスイッチング素子としてＦＥＴ３０を実装する。
【００２９】
図４に示すように、ここで用いられるＦＥＴ３０は、略直方体状の本体３２と、少なくとも３つの端子（図略のドレイン端子、ソース端子３４、及びゲート端子３６）とを含んでいる。当該端子のうち、ドレイン端子は前記本体３２の裏面に設けられ、ソース端子３４及びゲート端子３６は本体３２の側面から突出して下方に延出されている。
【００３０】
このＦＥＴ３０に対応して、制御回路基板２０の各貫通孔２２には、前記ＦＥＴ３０の本体３２が挿通可能な矩形状部分２２ａと、この矩形状部分２２ａから所定方向に延びて前記ＦＥＴ３０のソース端子３４が挿通可能な形状をもつ延出部分２２ｂとを含ませる。そして、前記矩形状部分２２ａを通じてＦＥＴ本体３２の裏面におけるドレイン端子をバスバー構成板１０における入力端子用バスバー１１の上面に直接接触させて当該バスバー１１上にＦＥＴ本体３２を実装し、前記延出部分２２ｂを通じてＦＥＴ３０のソース端子３４を出力端子用バスバー１２に接続し、ＦＥＴ３０のゲート端子３６を制御回路基板２０上の適当な導体パターンに接続する。
【００３１】
すなわち、この実装工程では、ＦＥＴ３０は全て上側から制御回路基板２０と各バスバーの双方に同時実装することが可能であり、従来のようにＦＥＴ３０をバスバー基板と制御回路基板との間の位置で両基板にそれぞれ配線材を介して別個に接続する方法に比べ、組立作業効率は飛躍的に向上する。
【００３２】
この実装工程は、例えば各貫通孔２２内に印刷等で溶融はんだを塗布し、その上にＦＥＴ３０を載せるだけで簡単に行うことが可能である。
【００３３】
なお、この実装工程を行うに当たっては、予め、図４に示すようにソース端子３４とゲート端子３６との間に制御回路基板２０の厚みと略同等の段差ｔを与えておくことが、より好ましい。このようにすれば、当該制御回路基板２０の厚みにかかわらず、両端子３４，３６に無理な変形を生じさせずにそのまま当該各端子３４，３６を出力端子用バスバー１２と制御回路基板２０とに各々実装でき、実装後における各端子の応力が大幅に低減される。
【００３４】
本発明において使用されるスイッチング素子も前記ＦＥＴ３０に限らず、例えばメカニカルリレースイッチの適用も可能である。また、当該スイッチング素子を制御回路基板２０のみに実装して当該制御回路基板２０側で前記スイッチング素子を含む電力回路の一部を構築するようにしてもよい。
【００３５】
３′）電気接続工程
バスバー構成板１０に含まれるバスバーの中には、制御回路基板２０の制御回路と直接接続すべき（すなわちＦＥＴ３０を介さずに接続すべき）バスバーが存在する。その電気接続については、後に詳述する。
【００３６】
４）折り曲げ工程
制御回路基板２０から左右両外側に突出するバスバー端部（図では少なくともバスバー１１，１２，１４の端部１１ａ，１２ａ，１４ａを含む。）を図６に示すように上向きに折り曲げて、外部回路と接続される端子を形成する。このような折り曲げ工程を行うことにより、各端子に対して外部配線材を一方向から接続することが可能になり、その接続作業が簡素化される。
【００３７】
５）ハウジング装着工程（コネクタ形成工程その１）
図７に示すように、複数の信号入力端子（図では信号入力端子用バスバー１４の端部１４ａであって横一列に並んでいる）の周囲に、合成樹脂等の絶縁材料からなるハウジング４０を固定してコネクタを形成する。このハウジング４０の側面には後述のケース５０と係合させるための突起４２を形成しておく。
【００３８】
６）切り離し工程
前記バスバー構成板１０におけるバスバー同士をプレス等により切り離して電力回路を完成させる。具体的には、制御回路基板２０の外側に露出しているつなぎ部分１８を切断、除去すればよい。このつなぎ部分１８の除去により、必然的に外枠１６も回路構成体から除去されることになる。この切り離し工程後の状態では、全体の高さ寸法（厚み寸法）が非常に小さく、また占有面積も制御回路基板２０の面積とほぼ同等に抑えられている。この回路構成体は、それ単独でも使用することが可能であるが、後述のケース５０や放熱部材６０をさらに付加することによって防水性や放熱性をより高めることが可能となり、車両用パワーディストリビュータ等に好適な回路体を得ることができる。
【００３９】
なお、この切り離し工程は、前記工程３）〜５）の前に行ってもよい。ただし、端子を構成するバスバー端部１１ａ，１２ａ，１４ａを外枠１６または他のバスバーとつないでいる場合には、切り離し工程を先に行う必要がある。
【００４０】
７）ケース装着工程（コネクタ形成工程その２）
６）の切り離し工程で得られた回路構成体に対し、さらに上側から合成樹脂等の絶縁材料からなるケース５０（図９）を被せる。このケース５０は、下側に開口して前記制御回路基板２０全体を上側から覆う形状を有し、その中央には前記ＦＥＴ３０を上方に開放する開口部が設けられ、この開口部の周縁から上向きに防水壁５２が立設されている。すなわち、この防水壁５２は前記ＦＥＴ３０を含む領域を囲んでいる。
【００４１】
このケース５０の左右両縁部（防水壁５２の左右両外側の部分）には、上下に開口する筒状のハウジング５４及びハウジング装着部５６がケース５０と一体に形成されている。ハウジング５４は、複数箇所に形成され、前記入力端子用バスバー１１の端部１１ａ（入力端子）及び出力端子用バスバー１２の端部１２ａ（出力端子）をそれぞれ個別に囲み、これらの端子とともにコネクタを構成する。ハウジング装着部５６は、前記ハウジング４０（信号入力端子を囲むハウジング）に対応する位置に形成され、このハウジング装着部５６内に前記ハウジング４０が下から挿入され、同ハウジング４０の側壁の突起４２がハウジング装着部５６の上端に係合することによりバスバー及び制御回路基板２０がケース５０に係止される。
【００４２】
この構造では、前記各端子とハウジング４０，５４とで構成されたコネクタに対し、例えば車両に配索されるワイヤハーネスの端末に設けられたコネクタを結合することにより、当該端子と外部回路とを簡単に接続することが可能となっている。
【００４３】
なお、ケース５０の前後両端部からは、左右に並ぶ複数枚のフィンカバー５８が下向きに突出している。
【００４４】
８）放熱部材接続工程
前記各バスバーの下面に図１０に示すような放熱部材６０の上面６４を接着して両者を合体させる。
【００４５】
放熱部材６０は、全体がアルミニウム系金属等の熱伝導性に優れた材料で形成され、平坦な上面６４を有し、下面からは左右に並ぶ複数枚のフィン６２が下向きに突出している。各フィン６２の位置は前記ケース５０におけるフィンカバー５８の位置と対応しており、この放熱部材６０の装着によって各フィン６２の長手方向両端が前記フィンカバー５８で覆われるようになっている。
【００４６】
この放熱部材６０とバスバーとの接着は、例えば次のような手順で行うのが好ましい。
【００４７】
▲１▼  放熱部材６０の上面６４にエポキシ系樹脂からなる絶縁性の接着剤を塗布して乾燥させることにより薄膜の絶縁層を形成する。
【００４８】
▲２▼  前記絶縁層の上に重ねて、この絶縁層を構成する材料よりも軟らかくて熱伝導性の高い接着剤（例えばシリコーン系接着剤のようなグリース状のもの）を塗布し、もしくはバスバー側に当該接着剤を塗布し、この接着剤によって前記バスバーを接着する。
【００４９】
ここで、▲１▼の絶縁層は必ずしも要しないが、当該絶縁層の形成により、高価な▲２▼の接着剤（柔らかくて熱伝導性に優れた接着剤）の使用量を最小限に抑えながら確実な電気的絶縁を確保することができる。また、▲１▼の絶縁層は例えば放熱部材６０の上面６４上に絶縁シートを貼着することにより形成することも可能である。
【００５０】
なお、バスバーの中に接地されるべきものが含まれる場合には、このバスバーに放熱部材６０をねじ止めして固定し、当該放熱部材６０をアースに接続するようにしてもよい。
【００５１】
また、前記バスバーと放熱部材６０との接着に加え、例えばケース５０と放熱部材６０とに互いに係合する係合部を設けて当該ケース５０にも放熱部材６０を固定することが好ましい。さらに、当該ケース５０と放熱部材６０との間にシリコンゴム等からなるシール材を介在させることにより、回路構成体の防水性がさらに高められる。
【００５２】
９）ポッティング工程
前記防水壁５２の内側に放熱促進用のポッティング剤を注入する。その後、当該防水壁５２の上端に図１１に示すようなカバー７０を被せて両者を接合する（例えば振動溶接する）ことにより、防水壁５２内を密封、防水する。
【００５３】
以上のようにして製造された回路構成体において、その入力端子（入力端子用バスバー１１の端部１１ａ）に電源を、出力端子（出力端子用バスバー１２の端部１２ａ）に電気的負荷を接続することにより、前記電源から適当な電気的負荷に電力を分配する配電回路が構築されるとともに、当該配電回路の途中に設けられるＦＥＴ３０の動作が制御回路基板２０に組み込まれた制御回路によって制御されることにより、前記配電回路の通電のオンオフ制御が実行されることになる。
【００５４】
次に、前述の「電気接続工程」について説明する。すなわち、前記バスバーと制御回路基板２０とを直接接続する（ＦＥＴ３０を介さずに電気的に接続する）ための構造及び方法について説明する。
【００５５】
当該接続のための手段としてまず考えられるのは、例えば図１３に示すような円筒状のランド（導体層）２４を制御回路基板２０の基板本体に貫通させ、これを囲むように接着剤８０を塗布し、当該接着剤８０によって制御回路基板２０と特定のバスバー（図においては前記信号入力端子を構成する信号入力端子用バスバー１４）の表面とを接着した後、前記ランド２４の内側の貫通孔２４ａ内にはんだを供給して当該ランド２４の内周面と信号入力端子用バスバー１４の表面とにまたがせる方法である。ところが、このような方法では、スルーホール内でのはんだ付けの良否を外部から目視で確認するのが非常に難しいという欠点がある。
【００５６】
これに対し、本発明は例えば図１４及び図１５に示すような構造を採用するものである。図において、制御回路基板２０の縁に半円状の切欠部２０ａが形成され、この切欠部２０ａの表面を覆うように略半円筒状のランド（導体層）２４が被着されており、このランド２４が制御回路基板２０に印刷された導体パターン（制御回路を構成するパターン）に電気的に接続されている。そして、このランド２４を囲むような形状で制御回路基板２０の裏面に接着剤８０が塗布され、この接着剤８０によって当該制御回路基板２０の縁部と信号入力端子用バスバー１４とが接着されるとともに、前記ランド２４の半円筒内周面と入力端子用バスバー１４の表面とをまたぐようにはんだ付けが施される（図でははんだフィレット２６が形成される）ことにより、前記ランド２４と入力端子用バスバー１４との電気的接続がなされている。
【００５７】
この接続は、例えば次のような手順で行うことができる。
【００５８】
▲１▼  接着工程の前に予め制御回路基板２０の縁に側方に開放された形状の切欠部２０ａを形成してこの切欠部２０ａの内側面を覆うランド２４を制御回路基板２０に被着しておく。このランド２４は、制御回路基板２０に印刷された導体パターンに接続された状態にしておく（導体層被着工程）。
【００５９】
▲２▼  前記ランド２４を囲むようにして前記制御回路基板２０の裏面に接着剤８０を塗布し、この接着剤８０によって当該制御回路基板２０と信号入力端子用バスバー１４とを接着する（接着工程）。この接着により、当該信号入力端子用バスバー１４と前記ランド２４の裏側端面とが重ねられた状態を保持する。
【００６０】
▲３▼  前記▲２▼の状態でランド２４の内周面と入力信号端子用バスバー１４との表面とにまたがってはんだ付けを施して図示のようなフィレット２６を形成する。
【００６１】
このような構造及び方法によれば、最終的に形成されるフィレット２６は側方に開放された状態にあるため、はんだ付け状態の良否を外部から一目で確認することが可能であり、これにより安定した品質及び高い接続信頼性を確保することができる。
【００６２】
なお、本発明では必ずしも全ての制御回路基板−バスバー間の接続部位が図１４等に示す構造でなくてもよく、その箇所によっては、部分的に、図１３に示すようなスルーホール接続を適用してもよいし、その他の構造をとってもよい。例えば、前記図５のＡ部に示すように当該バスバーから適当な突起を出させて当該突起を制御回路基板２０側にはんだ付けする構造を前記図１４等に示した構造と併用してもよい。
【００６３】
制御回路基板２０に直接接続されるバスバーも、前記信号入力端子用バスバー１４に限らず、例えば制御回路基板２０に出力電流情報を入力するために出力端子用バスバー１２と制御回路基板２０とを直接接続する場合にも本発明の適用が可能である。
【００６４】
さらに、制御回路基板２０の接続対象も前記のようなバスバーに限られず、例えば当該制御回路基板２０に、大電流通電を目的とした厚銅箔基板や銅板貼付基板等あるいはコネクタ等を接続する場合にも本発明の適用が可能である。
【００６５】
また、切欠部２０ａ及びこれに被着されるランド（導体層）２４の具体的な形状も問わず、図示のような半円筒状の他、平面視馬蹄状、コ字状、Ｖ字状など、側方に開放された形状を広く適用することが可能である。
【００６６】
【発明の効果】
以上のように、本発明は、制御回路基板の縁に側方に開放された形状の切欠部を形成し、この切欠部の内側面を覆う導体層を制御回路基板に被着して当該導体層を前記制御回路基板に組み込まれた回路に接続したものであるので、この導体層の被着箇所をバスバー等の接続対象に重ねた状態で当該導体層の内周面と前記特定のバスバーとの表面とにまたがってはんだ付けを施すことにより当該特定のバスバーと前記制御回路基板に組み込まれた回路とを電気的に接続することができるとともに、そのはんだ付けの良否を外部から目視で容易に確認することが可能であり、これによって品質の安定化及び接続信頼性の向上を達成できる効果がある。
【図面の簡単な説明】
【図１】本発明の実施の形態にかかる回路構成体の製造方法において用いられるバスバー構成板及び制御回路基板を示す斜視図である。
【図２】前記バスバー構成板と制御回路基板とを接着した状態を示す斜視図である。
【図３】前記バスバー構成板及び制御回路基板にＦＥＴを実装した状態を示す斜視図である。
【図４】前記ＦＥＴの実装状態を示す拡大断面斜視図である。
【図５】前記バスバー構成板と制御回路基板との直接接続個所を示す斜視図である。
【図６】前記バスバー構成板における所定のバスバーの端部を上方に折り曲げた状態を示す斜視図である。
【図７】折り曲げた信号入力端子用バスバーの端部の周囲にハウジングを設けてコネクタを形成した状態を示す斜視図である。
【図８】前記バスバー構成板から外枠を除去してバスバー同士を切り離した状態を示す斜視図である。
【図９】前記制御回路基板及びバスバーにケースを装着した状態を示す斜視図である。
【図１０】前記ケースが装着された回路構成体とこれに装着される放熱部材とを示す斜視図である。
【図１１】前記放熱部材が装着された回路構成体とそのケースの防水壁に装着されるカバーとを示す斜視図である。
【図１２】前記カバーを装着した状態を示す斜視図である。
【図１３】（ａ）は信号入力端子用バスバーと制御回路基板とを電気的接続するためにスルーホール構造を適用した例を示す当該制御回路基板の底面図、（ｂ）はその断面正面図である。
【図１４】（ａ）は本発明にかかるはんだ付け構造を示す平面図、（ｂ）はその断面正面図である。
【図１５】図１４のはんだ付け構造を上から見た斜視図である。
【符号の説明】
１４  信号入力端子用バスバー
２０  制御回路基板
２０ａ  切欠部
２４  ランド（導体層）
２６  フィレット（はんだ付け部分）
３０  ＦＥＴ（半導体スイッチング素子）
【図１】
2004253759.tif 000003
【図２】
2004253759.tif 000004
【図３】
2004253759.tif 000005
【図４】
2004253759.tif 000006
【図５】
2004253759.tif 000007
【図６】
2004253759.tif 000008
【図７】
2004253759.tif 000009
【図８】
2004253759.tif 000010
【図９】
2004253759.tif 000011
【図１０】
2004253759.tif 000012
【図１１】
2004253759.tif 000013
【図１２】
2004253759.tif 000014
【図１３】
2004253759.tif 000015
【図１４】
2004253759.tif 000016
【図１５】
2004253759.tif 000017